(57)【特許請求の範囲】
【請求項１】
運用業者が管理する運用業者サーバー及び運用業者端末と、ＷＥＢを介して前記運用業者サーバー及び運用業者端末との間で送受信可能な利用者端末及び収集運搬業者端末とで構成され、  
前記運用業者に作業を依頼する顧客である利用者の指定場所に設置されて、機密書類の廃棄物である被回収物が投入された回収容器を適時回収するためのシステムであって、
前記回収容器は、前記利用者の指定する設置場所に設置した段階から、前記収集運搬業者によって回収され、廃棄物処理場に搬入されて解錠されるまでその施錠状態が保持されるものであって、投入されて積み重なる被回収物の高さを検出する測距センサと、前記測距センサによって検出された測距データを前記回収容器内に投入された被回収物の容量データに変換するデータ変換部と、前記容量が、容量の異なる前記回収容器ごとに予め設定される規定値に達した際にその容量データを回収要求として前記運用業者サーバーに送信するデータ発信部とで構成される移動体通信ユニットを備え、
前記移動体通信ユニットから前記運用業者サーバーに送信される前記回収要求には、当該移動体通信ユニットに割り振られた個体番号が含まれ、前記運用業者サーバーは、その個体番号によって回収対象の回収容器を特定すると共に、回収時期を特定して前記収集運搬業者端末に回収指示を送信し、前記回収指示は、前記運用業者サーバーから前記利用者端末へも送信され、    
前記回収時期の特定は、前記データ変換部において下記式によって変換して得られる前記容量データと前記規定値とから割り出される、前記回収容器内の残存スペースの充填予測時間に基づいてなされることを特徴とする廃棄物回収システム。
ｖ＝（Ｈ−ｄ）Ｖ／Ｈ  
（ここで、ｖ：変換後の容量データ、Ｖ：回収容器の容体の容量、ｄ：検出された測距データ、Ｈ：回収容器の容体の高さ）
【請求項２】
請求項１に記載の廃棄物回収システムを用いて行う廃棄物回収方法であって、
個体番号が割り振られた移動体通信ユニットを装備した、機密書類の廃棄物である被回収物を投入するための、前記利用者の指定する設置場所に設置した段階から、前記収集運搬業者によって回収され、廃棄物処理場に搬入されて解錠されるまでその施錠状態が保持される回収容器を用意する準備ステップと、
前記回収容器を前記運用業者に作業を依頼する顧客である利用者の利用場所に設置し、その回収容器に装備されている前記移動体通信ユニットの個体番号、当該回収容器の規定情報及び顧客情報を運用業者サーバーに登録するセットアップステップと、
前記回収容器内の被回収物の容量が前記規定情報における、容量の異なる前記回収容器ごとに予め設定される規定値に達した段階で、前記移動体通信ユニットから前記運用業者サーバーに対して回収要求が送信される回収要求送信ステップと、
前記回収要求を受信した前記運用業者サーバーから収集運搬業者端末に対して回収指示が送信されると共に、利用者端末にも送信される回収指示送信ステップと、
前記回収指示を受信した前記収集運搬業者端末の管理者である収集運搬業者によって前記回収指示の対象である回収容器が回収される回収ステップと、  
前記回収容器が処理場内に搬入されると前記収集運搬業者端末から前記運用業者サーバーに対して搬入完了通知が送信され、前記運用業者サーバーから利用者端末に対して搬入完了の情報が送信される処理ステップとを含み、  
前記移動体通信ユニットは、前記回収容器内に投入されて積み重なる被回収物の高さを検出する測距センサと、前記測距センサによって検出される測距データを前記回収容器内に投棄された被回収物の容量データに変換するデータ変換部と、前記容量が前記規定値に達したことの情報を当該回収容器の個体番号と共に前記運用業者サーバーに送信するデータ発信部とを備え、
前記測距データの前記容量データへの変換は、下記式によって行われることを特徴とする廃棄物回収方法。
ｖ＝（Ｈ−ｄ）Ｖ／Ｈ  
（ここで、ｖ：変換後の容量データ、Ｖ：回収容器の容体の容量、ｄ：検出された測距データ、Ｈ：回収容器の容体の高さ）
【発明の詳細な説明】
【技術分野】
【０００１】
本発明は、廃棄物回収システム及び回収方法に関するものであり、より詳細には、機密性を有する廃棄物の回収を、無駄なく効率よく行うための回収システム及び回収方法に関し、更に、そのシステム及び方法において利用可能な回収容器に関するものである。
【背景技術】
【０００２】
金融機関、保険会社等の事業所や役所、学校、病院等において発生する情報漏洩の７割が内部流出であるとされている。そこで、各事業所等においては、情報漏洩防止のために、不要になった機密書類はシュレッダーにかけて廃棄処分している。しかし、このシュレッダーによる廃棄処分には時間と手間がかかり、そのための人件費が嵩むという問題がある。それだけでなく、シュレッダー屑は非常に嵩張るため、廃棄書類を大量に排出する事業所等においては、袋詰めしたシュレッダー屑の保存・排出に苦労が伴う。
【０００３】
かかる事情に鑑み、機密性を有する廃棄物をシュレッダーにかけることなく廃棄処分することを可能にするための、廃棄文書回収システムの提案がある（特開２００１−３０１９１１号公報）。しかし、この提案に係るシステムの場合は、回収業者は、各オフィスに設置された回収ボックス自体を回収するのではなく、回収ボックス内に配備される回収用袋に袋詰めされた機密文書となり、このシステムによった場合は、その廃棄物の機密性の保持は到底望めない。
【０００４】
この点を是正するものとして、回収業者が機密性を有する廃棄物を、施錠された回収箱ごと回収し、そのままリサイクル処理場へ運搬するシステムの提案がある（特許第５０３００４８号公報）。この提案に係るシステムにおいては、投入された廃棄物の重量を観察し、その重量が所定重量に達した段階で回収要求が発信される。上記特開２００１−３０１９１１号公報に記載の発明の場合も、廃棄物の重量を以て回収容器の回収要求の発信条件としている。
【先行技術文献】
【特許文献】
【０００５】
【特許文献１】特開２００１−３０１９１１号公報
【特許文献２】特許第５０３００４８号公報
【発明の概要】
【発明が解決しようとする課題】
【０００６】
上述したように、従来提案されている廃棄物回収方法の場合は、回収容器に投入された廃棄物の重量によって回収容器の回収時期が特定されるが、このように廃棄物の重量をメルクマールとする場合は、以下のような不都合が生ずる。
【０００７】
即ち、廃棄物は主に機密書類であるが、それがバインダーやファイルに綴じられ、また、ステープラー止めされた状態のまま投棄されると、バインダーやファイル等の重量が嵩んで総重量が大きくなり、設定重量に達したとしても、容器の上部に大きな投入空間が無駄に残るため、回収効率が悪くなる。また、密に重なり合った書類の場合と捌かれた状態の書類の場合とでは、同じ重量であっても後者の場合は間に空気が入り込んでいるために嵩張った状態となり、設定重量に達したときには既に投入口が一杯になってしまい、回収容器の交換待ちという状況に陥るおそれがある。湿気を含む書類が多い場合と乾燥した書
類が多い場合についても、同様の問題が生ずる。
【０００８】
本発明は、従来技術におけるこのような問題を解決するためになされたもので、特に機密書類の廃棄物の回収を、無駄なく効率よく行うための方法及びシステムであって、回収容器内に余剰スペースを残すことなく、また、廃棄物の過剰投入の事態を招くことなく、機密書類の廃棄物をその機密性を確保しつつ効率よく且つダウンタイム発生のおそれなく回収し、破砕処理施設に搬送することが可能な廃棄物回収システム及び回収方法、並びに、そのシステム及び方法の実施に利用可能な回収容器を提供することを課題とする。
【課題を解決するための手段】
【０００９】
上記課題を解決するための請求項１に係る発明は、運用業者が管理する運用業者サーバー及び運用業者端末と、ＷＥＢを介して前記運用業者サーバー及び運用業者端末との間で送受信可能な利用者端末及び収集運搬業者端末とで構成され、  
前記運用業者に作業を依頼する顧客である利用者の指定場所に設置されて、機密書類の廃棄物である被回収物が投入された回収容器を適時回収するためのシステムであって、
前記回収容器は、前記利用者の指定する設置場所に設置した段階から、前記収集運搬業者によって回収され、廃棄物処理場に搬入されて解錠されるまでその施錠状態が保持されるものであって、投入されて積み重なる被回収物の高さを検出する測距センサと、前記測距センサによって検出された測距データを前記回収容器内に投入された被回収物の容量データに変換するデータ変換部と、前記容量が、容量の異なる前記回収容器ごとに予め設定される規定値に達した際にその容量データを回収要求として前記運用業者サーバーに送信するデータ発信部とで構成される移動体通信ユニットを備え、
前記移動体通信ユニットから前記運用業者サーバーに送信される前記回収要求には、当該移動体通信ユニットに割り振られた個体番号が含まれ、前記運用業者サーバーは、その個体番号によって回収対象の回収容器を特定すると共に、回収時期を特定して前記収集運搬業者端末に回収指示を送信し、前記回収指示は、前記運用業者サーバーから前記利用者端末へも送信され、    
前記回収時期の特定は、前記データ変換部において下記式によって変換して得られる前記容量データと前記規定値とから割り出される、前記回収容器内の残存スペースの充填予測時間に基づいてなされることを特徴とする廃棄物回収システムである。
ｖ＝（Ｈ−ｄ）Ｖ／Ｈ  
（ここで、ｖ：変換後の容量データ、Ｖ：回収容器の容体の容量、ｄ：検出された測距データ、Ｈ：回収容器の容体の高さ）
【００１０】
【００１２】
上記課題を解決するための請求項２に係る発明は、請求項１に記載の廃棄物回収システムを用いて行う廃棄物回収方法であって、
個体番号が割り振られた移動体通信ユニットを装備した、機密書類の廃棄物である被回収物を投入するための、前記利用者の指定する設置場所に設置した段階から、前記収集運搬業者によって回収され、廃棄物処理場に搬入されて解錠されるまでその施錠状態が保持される回収容器を用意する準備ステップと、
前記回収容器を前記運用業者に作業を依頼する顧客である利用者の利用場所に設置し、その回収容器に装備されている前記移動体通信ユニットの個体番号、当該回収容器の規定情報及び顧客情報を運用業者サーバーに登録するセットアップステップと、
前記回収容器内の被回収物の容量が前記規定情報における、容量の異なる前記回収容器ごとに予め設定される規定値に達した段階で、前記移動体通信ユニットから前記運用業者サーバーに対して回収要求が送信される回収要求送信ステップと、
前記回収要求を受信した前記運用業者サーバーから収集運搬業者端末に対して回収指示が送信されると共に、利用者端末にも送信される回収指示送信ステップと、
前記回収指示を受信した前記収集運搬業者端末の管理者である収集運搬業者によって前記回収指示の対象である回収容器が回収される回収ステップと、  
前記回収容器が処理場内に搬入されると前記収集運搬業者端末から前記運用業者サーバーに対して搬入完了通知が送信され、前記運用業者サーバーから利用者端末に対して搬入完了の情報が送信される処理ステップとを含み、  
前記移動体通信ユニットは、前記回収容器内に投入されて積み重なる被回収物の高さを検出する測距センサと、前記測距センサによって検出される測距データを前記回収容器内に投棄された被回収物の容量データに変換するデータ変換部と、前記容量が前記規定値に達したことの情報を当該回収容器の個体番号と共に前記運用業者サーバーに送信するデータ発信部とを備え、
前記測距データの前記容量データへの変換は、下記式によって行われることを特徴とする廃棄物回収方法である。
ｖ＝（Ｈ−ｄ）Ｖ／Ｈ  
（ここで、ｖ：変換後の容量データ、Ｖ：回収容器の容体の容量、ｄ：検出された測距データ、Ｈ：回収容器の容体の高さ）
【００１３】
上記課題を解決するための請求項４に係る発明は、容体と投入口を有する蓋とから成る機密書類の廃棄物の回収容器であって、前記容体は、投入されて積み重なる前記廃棄物の高さを検出する測距センサと、前記測距センサによって検出された測距データを前記回収容器内に投入された前記廃棄物の容量データに変換するデータ変換部と、前記容量が規定値に達したことの情報を当該回収容器の個体番号と共に外部送信するデータ発信部とを含む移動体通信ユニットを備え、  
前記データ変換部は、下記の式により、検出された測距データｄを前記回収容器内に投入された前記廃棄物の容量データｖに変換することを特徴とする廃棄物回収容器。
ｖ＝（Ｈ−ｄ）Ｖ／Ｈ  
（ここで、ｖ：変換後の容量、Ｖ：回収容器の容体の容量、ｄ：検出された測距データ、Ｈ：回収容器の容体の高さ）      
【００１４】
一実施形態においては、前記蓋は前記容体に対して施錠可能であり、前記容体は前記蓋を被着する開口以外に開口を備えておらず、施錠時において、投入された前記廃棄物の取り出し並びに内部の透視が不可である。  
【発明の効果】
【００１５】
本発明に係る廃棄物回収システム及び回収方法は上記のとおりであって、回収容器内の被回収物の高さを回収容器自体又は回収容器内の被回収物の回収時期特定のメルクマールとしているため、回収容器内に無駄な空きスペースを残すことがなく、また、被回収物を過剰投入するおそれがなく、機密文書である被回収物を、人目に晒すことなくその機密性を確保しつつ回収容器ごと効率よく回収し、破砕処理場に搬送することができ、また、ダウンタイムを発生させることなく運用することができるといった効果がある。
【００１６】
また、本発明に係る回収容器は、本発明に係る回収システム及び回収方法において利用可能なだけでなく、容器内の投入量を検出する必要のある他の種々の用途に利用可能である。
【図面の簡単な説明】
【００１７】
【図１】本発明に係る廃棄物回収システムを説明するための概略構成図である。
【図２】本発明に係る廃棄物回収方法における処理の大まかな流れを示すフロー図である。
【図３】本発明に係る廃棄物回収システム及び回収方法において利用可能な回収容器の構成例を示す図である。
【図４】本発明に係る廃棄物回収システム及び回収方法において利用可能な回収容器の別構成例を示す図である。
【発明を実施するための形態】
【００１８】
本発明を実施するための形態につき、添付図面を参照しつつ説明する。図１は、本発明に係る廃棄物回収システムの概略構成図であり、図２は本発明に係る廃棄物回収方法における処理の流れを示すフロー図である。図１に示されるように、本発明に係る廃棄物回収システムは、利用者の指定場所に設置される回収容器２０自体又は回収容器２０内の被回収物を適時回収するためのシステムであって、運用業者が管理する運用業者サーバー１及び運用業者端末１ａと、ＷＥＢ５を介して運用業者サーバー１及び運用業者端末１ａとの間で送受信可能な利用者端末２及び収集運搬業者端末３とで構成される。なお、更に処理場端末４を含む場合もある。
【００１９】
図３及び図４は、本発明に係る廃棄物回収システム及び回収方法において利用可能な回収容器２０、２０ａの構成例を示すものである。そのうち図３に示されるものは、機密性を有する廃棄物回収用の回収容器２０であって、それ自体が回収対象となるものである。
【００２０】
この回収容器２０はキャスター付きの容体２１と蓋２２とから成り、蓋２２はその上面に廃棄物投入口２３を有していて容体２１に対して施錠可能であって（鍵穴２４）、容体２１に移動体通信ユニット２５が配備されている。移動体通信ユニット２５は、回収容器２０内に投入されて積み重なる廃棄物の高さを検出する測距センサ２６と、測距センサ２６によって検出される測距データを回収容器２０内に投棄された廃棄物の容量データに変換するデータ変換部２７と、容量が規定値に達したことの情報を、当該回収容器２０の個体番号と共に運用業者サーバー１に送信するデータ発信部２８とで構成され、通例、そのうち測距センサ２６とデータ変換部２７は容体２１の外側面に設置され、データ発信部２８は容体の内側面上部に設置される。
【００２１】
上記測距データの容量データへの変換は、例えば、次式により行われる。
ｖ＝（Ｈ−ｄ）Ｖ／Ｈ  ｖ：変換後の容量、Ｖ：容体２１の容量（既知）、ｄ：検出された距離、Ｈ：容体２１
の高さ（既知）、Ｈ−ｄ：廃棄物の高さ
【００２２】
移動体センサユニット２５には、それぞれ個体番号が割り振られている。そして、後述するセットアップ時には、この個体番号と容量データに関する規定情報、並びに、利用者情報（利用者名、住所、電話番号、メールアドレス等）が運用業者サーバー１に登録される。データ発信部２８と運用業者サーバー１との間のデータ通信には、ＰＨＳ、ＬＴＥ等の移動体通信が利用される。
【００２３】
この場合の容体２１には蓋２２を被着する開口以外に開口がなく、一旦廃棄物投入口２３に投入された廃棄文書類は、蓋２２を解錠して取り外さない限り、視認したり、取り出したりすることができない。なお、機密文書はファイルやホルダー綴じのまま、あるいは、ステープラー綴じのまま投棄可能である。また、回収容器２０は、利用者ごとにまちまちである廃棄物の投棄量、並びに、投棄ペースに対応可能にするために、容量の異なるものが数種類用意され、利用者が選択できるよう配慮される。
【００２４】
図４に示される回収容器２０ａは、それ自体が回収対象となる訳ではなく、そこに投棄される、通例、機密性のない廃棄物のみが回収対象となる。この回収容器２０ａは、容体２１ａと、容体２１ａに対して無施錠で着脱自在な蓋２２ａと、容体２１ａ内に配置される回収袋３０とから成り、通例、回収袋３０は容体２１ａ内に配備される保形筒３１内にセットされる。そして、容体２１ａの内側面には、移動体通信ユニット２５が設置される。
【００２５】
この回収容器２０ａの場合も回収容器２０の場合と同様に、移動体通信ユニット２５の測距センサ２６によって、廃棄物投入口２３ａから投入されて回収袋３０内に積み重なる廃棄物の高さが検出され、検出された測距データが容量データに変換され、それが規定値に達した段階で、その情報が当該回収容器２０ａの個体番号と共に運用業者サーバー１に回収要求として送信される。
【００２６】
運用業者サーバー１は、移動体通信ユニット２５からの回収要求に含まれる個体番号によって回収対象となる回収容器２０、２０ａを特定すると共に、データ発信部２８から送信された容量データを基に回収時期を特定し、回収対象となる回収容器２０、２０ａとその回収時期を含む回収指示を、収集運搬業者端末３に送信する。その回収時期情報は、同時に利用者端末２にも送られる。
【００２７】
本発明に係る廃棄物回収方法は、図２に示されるように、回収容器準備ステップ（Ｓ１１）と、セットアップステップ（Ｓ１２）と、回収要求送信ステップ（Ｓ１３）と、回収指示送信ステップ（Ｓ１４）と、廃棄物回収ステップ（Ｓ１５）と、廃棄物処理ステップ（Ｓ１６１）とから成る。以下に、本発明に係る廃棄物回収システム及び回収方法について、上記ステップごとに、より詳細に説明する。なお、以下の説明は図３に示す回収容器２０を用いる場合のものであるが、図４に示す回収容器２０ａを用いる場合における処理の流れも、基本的に変わりはない。
【００２８】
回収容器準備ステップ（Ｓ１１）
回収容器準備ステップ（Ｓ１１）は、個体番号が割り振られた移動体通信ユニット２５を内側面に装備した、廃棄物を回収するための回収容器２０を用意するステップである。本発明に係るシステム・方法の実施に当たっては、事前に本システムの運用業者と利用者との間で利用契約が締結され、その際、どのサイズの回収容器２０を利用するかの取り決めがなされ、それに対応する回収容器２０が用意される。
【００２９】
セットアップステップ（Ｓ１２）
セットアップステップ（Ｓ１２）は、回収容器２０を利用者の指定する利用場所に設置し、その回収容器２０に配備されている移動体通信ユニット２５の個体番号、当該回収容器２０の規定情報及び顧客情報を運用業者サーバー１に登録するステップである。これらの情報の運用業者サーバー１への登録は、例えば、運用業者端末１ａからＷＥＢ５を介して行われる。
【００３０】
ここにおける規定情報は、回収容器２０のサイズに応じて予め設定される容量データに関するものであり、検知された回収容器２０内の廃棄物の容量がその規定値に達した段階で、後述する回収要求が運用業者サーバー１から収集運搬業者端末３に送信されることになる。例えば、規定値は、回収容器２０の容量の８０％とされる。この場合の余剰容量２０％は、回収容器２０内の廃棄物の容量がその規定値に達した後、回収されるまでの間に更に投入される廃棄物の量に見合うものであり、且つ、回収に際して無駄な余剰スペースが残らないと見込まれる量である。かくして本発明に係るシステム並びに方法においては、回収回数を最低限に止めて、極めて効率のよい廃棄物回収の実現が可能となるのである。
【００３１】
回収要求送信ステップ（Ｓ１３）
回収要求送信ステップ（Ｓ１３）は、回収容器２０内の廃棄物の容量が規定情報における規定値に達した段階で、移動体通信ユニット２５から運用業者サーバー１に対して回収要求が送信されるステップである。移動体通信ユニット２５の測距センサ２６は、常時、回収容器２０内に投入されて積み重なる廃棄物の高さを検出してその測距データをデータ変換部２７に供給し、データ変換部２７ではその測距データを容量データに変換し、それが規定値に達した段階でデータ発信部２８に信号を送り、その信号を受けたデータ発信部２８は、受信日時、個体番号、利用者情報、容量データ等を含む回収要求を運用業者サーバー１に自動送信する。
【００３２】
回収時期特定ステップ（Ｓ１４）
回収時期特定ステップ（Ｓ１４）は、上記回収要求を受信した運用業者サーバー１が、回収要求に含まれる容量データと、移動体通信ユニット２５の個体番号を基に、当該回収容器２０の設置場所（利用者）を特定すると共に、回収時期を特定し、収集運搬業者端末３に対して回収指示を送信するステップである。回収時期情報は、運用業者サーバー１から収集運搬業者端末３に送信されると共に、利用者端末２にも自動送信される。
【００３３】
回収要求は、廃棄物の容量が予め設定された容量に達した段階で発信されるので、一般に、回収時期はその翌日又は数日後に特定することができる。なお、廃棄物の投棄量、並びに、投棄ペースを各利用者ごとに観察した結果を踏まえ、回収容器２０内の残存スペースの充填時間を推測して回収時期を特定する方法を採用することもできる。
【００３４】
この場合の回収容器２０内の残存スペースの充填時間は、例えば、随時データ発信部２８より送られてくるデータと経過時間を基に予測することができる。このようにした場合は、回収容器２０内における廃棄物の充填率が常に１００％に近い状態で回収を行うことが可能となるので、一層回収効率が向上する。
【００３５】
廃棄物回収ステップ（Ｓ１５）
廃棄物回収ステップ（Ｓ１５）は、運用業者サーバー１からの回収指示を受信した収集運搬業者端末３の管理者である収集運搬業者によって、回収指示対象の回収容器２０が回収されるステップである。回収容器２０は施錠状態のまま回収され、そのまま廃棄物処理場に搬送される。収集運搬業者はその回収に際し、交換用の空の回収容器２０を持込み、新たにセットアップして利用者の継続使用に供する。かくして、ダウンタイムを発生させることなく、本システムの運用が可能となる。
【００３６】
なお、上述したように、図３に示す回収容器２０の場合の回収対象は回収容器２０自体であるが、図４に示す回収容器２０ａの場合の回収対象は、回収容器２０ａ内の袋詰めされた廃棄物である。従って、この場合は回収容器２０ａはそのまま残され、回収袋３０が交換されることになる。
【００３７】
廃棄物処理ステップ（Ｓ１６）
廃棄物処理ステップ（Ｓ１６）は、収集運搬業者によって運搬されてくる回収容器２０内の廃棄物を廃棄物処理場において破砕処理するステップである。回収容器２０が処理場内に搬入された段階で、収集運搬業者端末３から（又は処理場端末４から）運用業者サーバー１に対して搬入完了通知が送信され、運用業者サーバー１から利用者端末２に対してその旨の情報が送信される。処理場内においては、回収容器２０の解錠、廃棄物の取り出し、廃棄物の破砕処理等の処理がなされ、その後、空になった回収容器２０は収集運搬業者によって搬出され、次回の利用に回される。
【産業上の利用可能性】
【００３８】
本発明に係る廃棄物回収システム及び回収方法は上記のとおりであって、回収容器内の被回収物の高さを回収容器自体又は回収容器内の被回収物の回収時期特定のメルクマールとしているため、回収容器内に無駄な空きスペースを残すことがなく、また、被回収物を過剰投入するおそれがなく、機密文書である被回収物を、人目に晒すことなくその機密性を確保しつつ回収容器ごと効率よく回収し、破砕処理場に搬送することができ、また、ダウンタイムを発生させることなく運用することができるといった効果があり、また、回収容器は、本発明に係る回収システム及び回収方法において利用可能なだけでなく、容器内の投入量を検出する必要のある他の種々の用途に利用可能であることは言うまでもなく、本発明の産業上の利用可能性は極めて大である。
【符号の説明】
【００３９】
１          運用業者サーバー
１ａ        運用業者端末
２          利用者端末
３          収集運搬業者端末
４          処理場端末
５          ＷＥＢ
２０        回収容器
２０ａ      回収容器
２１        容体
２２        蓋
２３        投入口
２４        鍵穴
２５        移動体通信ユニット
２６        測距センサ
２７        データ変換部
２８        データ発信部
３０        回収袋
３１        保形筒
【図１】
0006640024.tif 000002
【図２】
0006640024.tif 000003
【図３】
0006640024.tif 000004
【図４】
0006640024.tif 000005